(57)【要約】  本発明は管理情報の伝送方法及びシステムを提供し、マスタ制御ユニットが、それとリンク確立ができた各非マスタ制御ユニットにＶＬＡＮチャネルリソースを割り当て、割り当てたＶＬＡＮチャネルリソースの情報を対応する非マスタ制御ユニットに送信し、非マスタ制御ユニットが、ＶＬＡＮチャネルリソースの情報に基づいて、ＶＬＡＮチャネルで伝送される管理情報の送信及び／又は受信を行う仮想ネットワークインターフェースを確立し、マスタ制御ユニットが、レイヤ２スイッチングユニットに対してＶＬＡＮチャネルを確立するよう通知し、レイヤ２スイッチングユニットが、ＶＬＡＮチャネルを確立し、このＶＬＡＮチャネルに対応するユニットの物理ポートをタグの形でＶＬＡＮチャネルに加え、管理情報をＶＬＡＮチャネルで伝送する構成となっている。特別なハードウェア又は新しい物理チャネルによるサポートが必要とされず、レイヤ２ネットワークにおけるＶＬＡＮに基づく転送のみによって、ネットワーク全体の管理情報の伝送を実現することができ、構成フローを簡略化し、設計及びハードウェアを低コスト化し、複数種のシステムにおけるＤＣＮネットワーキングのために簡便な方法を提供する。
2017536775.tif 000002
【特許請求の範囲】
【請求項１】
マスタ制御ユニットが、それとリンク確立ができた各非マスタ制御ユニットにＶＬＡＮチャネルリソースを割り当て、割り当てたＶＬＡＮチャネルリソースの情報を対応する非マスタ制御ユニットに送信することと、
前記非マスタ制御ユニットが、前記ＶＬＡＮチャネルリソースの情報に基づいて、ＶＬＡＮチャネルで伝送される管理情報の送信及び／又は受信を行うように構成される仮想ネットワークインターフェースを確立することと、
マスタ制御ユニットが、レイヤ２スイッチングユニットに対してＶＬＡＮチャネルを確立するよう通知することと、
レイヤ２スイッチングユニットが、ＶＬＡＮチャネルを確立し、前記ＶＬＡＮチャネルに対応するユニットの物理ポートをタグの形で前記ＶＬＡＮチャネルに加えることと、
管理情報を前記ＶＬＡＮチャネルで伝送することと、
を含む管理情報の伝送方法。
【請求項２】
前記非マスタ制御ユニットが、レイヤ３ルーティングユニットを備え、
前記レイヤ２スイッチングユニットがＶＬＡＮチャネルを確立することは、レイヤ２スイッチングユニットによって、レイヤ３ルーティングユニットとインタラクティブユニットとの間のＶＬＡＮチャネルを確立することを含む、請求項１に記載の管理情報の伝送方法。
【請求項３】
前記インタラクティブユニットが、マスタ制御ユニットと、サービス伝送ユニットとを備え、
レイヤ３ルーティングユニットとインタラクティブユニットとの間のＶＬＡＮチャネルを確立することは、前記レイヤ３ルーティングユニットと前記サービス伝送ユニットとの間の第１のＶＬＡＮチャネルを確立するとともに、前記レイヤ３ルーティングユニットと前記マスタ制御ユニットとの間の第２のＶＬＡＮチャネルを確立することを含む、請求項２に記載の管理情報の伝送方法。
【請求項４】
前記インタラクティブユニットが、アクセスユニットをさらに備え、
レイヤ３ルーティングユニットとインタラクティブユニットとの間のＶＬＡＮチャネルを確立することは、前記レイヤ３ルーティングユニットとアクセスユニットとの間の第３のＶＬＡＮチャネルを確立することをさらに含む、請求項３に記載の管理情報の伝送方法。
【請求項５】
管理情報を前記ＶＬＡＮチャネルで伝送することは、
前記サービス伝送ユニットがサービスチャネルから管理情報を取得し、前記第１のＶＬＡＮチャネルを介して前記レイヤ３ルーティングユニットに伝送することと、
前記レイヤ３ルーティングユニットが前記管理情報を処理し、対応する前記ＶＬＡＮチャネルを選択して伝送することと、を含む、請求項３に記載の管理情報の伝送方法。
【請求項６】
管理情報を前記ＶＬＡＮチャネルで伝送することは、
前記アクセスユニットがウェブマスターから管理情報を取得し、前記第３のＶＬＡＮチャネルを介して前記レイヤ３ルーティングユニットに伝送することと、前記レイヤ３ルーティングユニットが前記管理情報を処理して、対応する前記ＶＬＡＮチャネルを選択して伝送すること、
及び／又は、
前記サービス伝送ユニットがサービスチャネルから管理情報を取得し、前記第１のＶＬＡＮチャネルを介して前記レイヤ３ルーティングユニットに伝送することと、前記レイヤ３ルーティングユニットが前記管理情報を処理して、対応する前記ＶＬＡＮチャネルを選択して伝送すること、を含む、請求項４に記載の管理情報の伝送方法。
【請求項７】
前記レイヤ３ルーティングユニットが前記管理情報を処理して、対応する前記ＶＬＡＮチャネルを選択して伝送することは、
前記レイヤ３ルーティングユニットが、前記管理情報のポートがローカルネットワーク要素であるか否かを判定することと、
ＹＥＳであれば、前記管理情報を前記第２のＶＬＡＮチャネルで前記マスタ制御ユニットに伝送し、ＮＯであれば、前記管理情報を前記第１のＶＬＡＮチャネルで、前記管理情報をサービスチャネルで他のネットワーク要素に転送する前記サービス伝送ユニットに伝送することと、を含む、請求項５又は６に記載の管理情報の伝送方法。
【請求項８】
マスタ制御ユニットと、非マスタ制御ユニットと、レイヤ２スイッチングユニットと、を備え、
前記マスタ制御ユニットが、非マスタ制御ユニットのリンク要求を受信し、非マスタ制御ユニットとリンクを確立した後、リンク確立ができた各非マスタ制御ユニットにＶＬＡＮチャネルリソースを割り当て、割り当てたＶＬＡＮチャネルリソースの情報を対応する非マスタ制御ユニットに送信し、
前記非マスタ制御ユニットが、マスタ制御ユニットによって割り当てられたＶＬＡＮチャネルリソースの情報を受信し、前記ＶＬＡＮチャネルリソースの情報に基づいて、ＶＬＡＮチャネルで伝送される管理情報の送信及び／又は受信を行うように構成される仮想ネットワークインターフェースを確立し、
前記マスタ制御ユニットが、前記レイヤ２スイッチングユニットに対して、ＶＬＡＮチャネルを確立する旨の通知情報を送信し、
前記レイヤ２スイッチングユニットが、前記通知情報を受信し、前記通知情報に基づいてＶＬＡＮチャネルを確立し、前記ＶＬＡＮチャネルに対応するユニットの物理ポートをタグの形で、管理情報を伝送するように構成される前記ＶＬＡＮチャネルに加える、管理情報の伝送システム。
【請求項９】
前記非マスタ制御ユニットが、レイヤ３ルーティングユニットを備え、
前記レイヤ２スイッチングユニットが、前記通知メッセージに基づいて、レイヤ３ルーティングユニットとインタラクティブユニットとの間のＶＬＡＮチャネルを確立する、請求項８に記載の管理情報の伝送システム。
【請求項１０】
前記インタラクティブユニットが、マスタ制御ユニットと、サービス伝送ユニットとを備え、
前記レイヤ２スイッチングユニットは、さらに、前記レイヤ３ルーティングユニットと前記サービス伝送ユニットとの間の第１のＶＬＡＮチャネルを確立するとともに、前記レイヤ３ルーティングユニットと前記マスタ制御ユニットとの間の第２のＶＬＡＮチャネルを確立する、請求項９に記載の管理情報の伝送システム。
【請求項１１】
前記インタラクティブユニットが、アクセスユニットをさらに備え、
前記レイヤ２スイッチングユニットは、さらに、前記レイヤ３ルーティングユニットとアクセスユニットとの間の第３のＶＬＡＮチャネルを確立するように構成される、請求項１０に記載の管理情報の伝送システム。
【発明の詳細な説明】
【技術分野】
【０００１】
本発明は通信分野に関し、特に、管理情報の伝送方法及びシステムに関する。
【背景技術】
【０００２】
データ通信ネットワーク（Data Communication NetWork、単にＤＣＮという）は、ネットワーク要素の管理のために通信チャネルを提供し、これにより、ネットワーク要素の遠隔管理及び保守を実現する。
【０００３】
ＤＣＮネットワークは、内部ＤＣＮと外部ＤＣＮに分けられ、内部ＤＣＮとは、ネットワーク要素の内部での通信を意味し、外部ＤＣＮとは、ネットワーク要素間の通信を意味する。
【０００４】
通信チャネルは、帯域外と帯域内の２種類に分けられ、帯域外チャネルとは、ネットワーク要素間の管理情報を伝送する専有の物理チャネルが設けられていることを意味し、帯域内チャネルとは、サービス基板のサービスチャネルによって管理情報を伝送することを意味する。
【０００５】
ＤＣＮネットワークにおけるネットワーク要素が異なるユニットを備え、異なるユニット間のサービスチャネルはいずれも物理層のものであり、各チャネル間の物理チャネルが異なっているため、特別なハードウェア又は新しい物理チャネルによるサポートを確立することが必要とされ、設計及びハードウェアの高コスト化を招く。
【発明の概要】
【発明が解決しようとする課題】
【０００６】
本発明の実施例は、関連技術において、管理情報の伝送には新しいハードウェア又は新しい物理チャネルの確立が必要とされ、設計及びハードウェアの高コスト化を招く問題を少なくとも解決する、管理情報の伝送方法及びシステムを提供する。
【課題を解決するための手段】
【０００７】
上記課題を解決するために、本発明の実施例では、
マスタ制御ユニットが、それとリンク確立ができた各非マスタ制御ユニットにＶＬＡＮチャネルリソースを割り当て、割り当てたＶＬＡＮチャネルリソースの情報を対応する非マスタ制御ユニットに送信することと、
前記非マスタ制御ユニットが、前記ＶＬＡＮチャネルリソースの情報に基づいて、ＶＬＡＮチャネルで伝送される管理情報の送信及び／又は受信を行うように構成される仮想ネットワークインターフェースを確立することと、
マスタ制御ユニットが、レイヤ２スイッチングユニットに対してＶＬＡＮチャネルを確立するよう通知することと、
レイヤ２スイッチングユニットが、ＶＬＡＮチャネルを確立し、前記ＶＬＡＮチャネルに対応するユニットの物理ポートをタグの形で前記ＶＬＡＮチャネルに加えることと、
管理情報を前記ＶＬＡＮチャネルで伝送することと、
を含む管理情報の伝送方法が提供される。
【０００８】
前記非マスタ制御ユニットが、レイヤ３ルーティングユニットを備え、前記レイヤ２スイッチングユニットがＶＬＡＮチャネルを確立することは、レイヤ２スイッチングユニットがレイヤ３ルーティングユニットとインタラクティブユニットとの間のＶＬＡＮチャネルを確立することを含むようにしてもよい。
【０００９】
前記インタラクティブユニットが、マスタ制御ユニットと、サービス伝送ユニットとを備え、レイヤ３ルーティングユニットとインタラクティブユニットとの間のＶＬＡＮチャネルを確立することは、前記レイヤ３ルーティングユニットと前記サービス伝送ユニットとの間の第１のＶＬＡＮチャネルを確立するとともに、前記レイヤ３ルーティングユニットと前記マスタ制御ユニットとの間の第２のＶＬＡＮチャネルを確立することを含むようにしてもよい。
【００１０】
前記インタラクティブユニットが、アクセスユニットをさらに備え、レイヤ３ルーティングユニットとインタラクティブユニットとの間のＶＬＡＮチャネルを確立することは、前記レイヤ３ルーティングユニットとアクセスユニットとの間の第３のＶＬＡＮチャネルを確立することをさらに含むようにしてもよい。
【００１１】
管理情報を前記ＶＬＡＮチャネルで伝送することは、前記サービス伝送ユニットがサービスチャネルから管理情報を取得し、前記第１のＶＬＡＮチャネルを介して前記レイヤ３ルーティングユニットに伝送することと、前記レイヤ３ルーティングユニットが前記管理情報を処理して、対応する前記ＶＬＡＮチャネルを選択して伝送することと、を含むようにしてもよい。
【００１２】
管理情報を前記ＶＬＡＮチャネルで伝送することは、
前記アクセスユニットがウェブマスター（ネットワーク管理）から管理情報を取得し、前記第３のＶＬＡＮチャネルを介して前記レイヤ３ルーティングユニットに伝送することと、前記レイヤ３ルーティングユニットが前記管理情報を処理し、対応する前記ＶＬＡＮチャネルを選択して伝送すること、
及び／又は、
前記サービス伝送ユニットがサービスチャネルから管理情報を取得し、前記第１のＶＬＡＮチャネルを介して前記レイヤ３ルーティングユニットに伝送することと、前記レイヤ３ルーティングユニットが前記管理情報を処理し、対応する前記ＶＬＡＮチャネルを選択して伝送すること、を含むようにしてもよい。
【００１３】
前記レイヤ３ルーティングユニットが前記管理情報を処理し、対応する前記ＶＬＡＮチャネルを選択して伝送することは、
前記レイヤ３ルーティングユニットが、前記管理情報のポートがローカルネットワーク要素であるか否かを判定することと、ＹＥＳであれば、前記管理情報を前記第２のＶＬＡＮチャネルで前記マスタ制御ユニットに伝送し、ＮＯであれば、前記管理情報を前記第１のＶＬＡＮチャネルで、前記管理情報をサービスチャネルで他のネットワーク要素に転送する前記サービス伝送ユニットに伝送することと、を含むようにしてもよい。
【００１４】
上記課題を解決するために、本発明の実施例では、マスタ制御ユニットと、非マスタ制御ユニットと、レイヤ２スイッチングユニットと、を備え、
前記マスタ制御ユニットが、非マスタ制御ユニットのリンク要求を受信し、非マスタ制御ユニットとリンクを確立した後、リンク確立ができた各非マスタ制御ユニットにＶＬＡＮチャネルリソースを割り当て、割り当てたＶＬＡＮチャネルリソースの情報を対応する非マスタ制御ユニットに送信し、
前記非マスタ制御ユニットが、マスタ制御ユニットによって割り当てられたＶＬＡＮチャネルリソースの情報を受信し、前記ＶＬＡＮチャネルリソースの情報に基づいて、ＶＬＡＮチャネルで伝送される管理情報の送信及び／又は受信を行うように構成される仮想ネットワークインターフェースを確立し、
前記マスタ制御ユニットが、前記レイヤ２スイッチングユニットに対して、ＶＬＡＮチャネルを確立する旨の通知情報を送信し、
前記レイヤ２スイッチングユニットが、前記通知情報を受信し、前記通知情報に基づいてＶＬＡＮチャネルを確立し、前記ＶＬＡＮチャネルに対応するユニットの物理ポートをタグの形で、管理情報を伝送するように構成される前記ＶＬＡＮチャネルに加える、管理情報の伝送システムがさらに提供される。
【００１５】
前記非マスタ制御ユニットが、レイヤ３ルーティングユニットを備え、前記レイヤ２スイッチングユニットが、前記通知メッセージに基づいて、レイヤ３ルーティングユニットとインタラクティブユニットとの間のＶＬＡＮチャネルを確立するようにしてもよい。
【００１６】
前記インタラクティブユニットが、マスタ制御ユニットと、サービス伝送ユニットとを備え、前記レイヤ２スイッチングユニットは、さらに、前記レイヤ３ルーティングユニットと前記サービス伝送ユニットとの間の第１のＶＬＡＮチャネルを確立するとともに、前記レイヤ３ルーティングユニットと前記マスタ制御ユニットとの間の第２のＶＬＡＮチャネルを確立するように構成されるようにしてもよい。
【００１７】
前記インタラクティブユニットが、アクセスユニットをさらに備え、前記レイヤ２スイッチングユニットは、さらに、前記レイヤ３ルーティングユニットとアクセスユニットとの間の第３のＶＬＡＮチャネルを確立するように構成されるようにしてもよい。
【発明の効果】
【００１８】
本発明は、以下の有益な効果を有する。
【００１９】
本発明の実施例において管理情報の伝送方法及びシステムが提供され、本発明に係る管理情報の伝送方法は、具体的には、マスタ制御ユニットが、それとリンク確立ができた各非マスタ制御ユニットにＶＬＡＮチャネルリソースを割り当て、割り当てたＶＬＡＮチャネルリソースの情報を対応する非マスタ制御ユニットに送信し、非マスタ制御ユニットが、ＶＬＡＮチャネルリソースの情報に基づいて、ＶＬＡＮチャネルで伝送される管理情報の送信及び／又は受信を行う仮想ネットワークインターフェースを確立し、マスタ制御ユニットが、レイヤ２スイッチングユニットに対してＶＬＡＮチャネルを確立するよう通知し、レイヤ２スイッチングユニットが、ＶＬＡＮチャネルを確立し、このＶＬＡＮチャネルに対応するユニットの物理ポートをタグの形でＶＬＡＮチャネルに加え、管理情報をＶＬＡＮチャネルで伝送する構成となっている。従来技術に比べ、特別なハードウェア又は新しい物理チャネルによるサポートが必要とされず、レイヤ２ネットワークにおけるＶＬＡＮに基づく転送のみによって、ネットワーク全体の管理情報の伝送を実現することができ、構成フローを簡略化し、設計及びハードウェアを低コスト化し、複数種のシステムにおけるＤＣＮネットワーキングのために簡便な方法を提供する。
【図面の簡単な説明】
【００２０】
【図１】本発明の実施例１に提供される管理情報の伝送方法のフローを示す図である。
【図２】本発明の実施例２に提供される管理情報の伝送方法のフローを示す図である。
【図３】本発明の実施例３に提供される管理情報の伝送方法におけるアクセスネットワーク要素がリンク確立を行うフローを示す図である。
【図４】本発明の実施例３に提供される管理情報の伝送方法におけるアクセスネットワーク要素がＶＬＡＮチャネルを確立するフローを示す図である。
【図５】本発明の実施例３に提供される管理情報の伝送方法における非アクセスネットワーク要素がＶＬＡＮチャネルを確立するフローを示す図である。
【図６】本発明の実施例３に提供される管理情報の伝送方法におけるアクセスネットワーク要素が管理情報を伝送するフローを示す図である。
【図７】本発明の実施例３に提供される管理情報の伝送方法における非アクセスネットワーク要素が管理情報を伝送するフローを示す図である。
【図８】本発明の実施例４に提供される管理情報の伝送システムの構成を示す図である。
【図９】本発明の実施例４に提供される管理情報の伝送システムにおける各ユニットの第１の配置構成を示す図である。
【図１０】本発明の実施例４に提供される管理情報の伝送システムにおける各ユニットの第２の配置構成を示す図である。
【図１１】本発明の実施例４に提供される管理情報の伝送システムにおける各ユニットの第３の配置構成を示す図である。
【図１２】本発明の実施例４に提供される管理情報の伝送システムにおける各ユニットの第４の配置構成を示す図である。
【発明を実施するための形態】
【００２１】
（実施例１）
本実施例に係る管理情報の伝送方法は、図１に示すように、以下のステップＳ１０１〜ステップＳ１０５を含む。
【００２２】
ステップＳ１０１：マスタ制御ユニットが、それとリンク確立ができた各非マスタ制御ユニットにＶＬＡＮチャネルリソースを割り当て、割り当てたＶＬＡＮチャネルリソースの情報を対応する非マスタ制御ユニットに送信する。
【００２３】
このステップにおいて、システムは、デフォルトで内部通信用ＶＬＡＮがあり、マスタ制御ユニットと他のユニットとがこのＶＬＡＮを介して通信を行う。ネットワーク要素の内部において、マスタ制御ユニットと他のユニットとでＣ／Ｓアーキテクチャーがなされ、他のユニットがクライアントClientであって、積極的にマスタ制御ユニットとリンクを確立し、マスタ制御ユニットがサーバServerである。ここでいう他のユニットとは、他の非マスタ制御ユニットのことであり、非マスタ制御ユニットは、サービス伝送ユニット、レイヤ３ルーティングユニット及びアクセスユニットの少なくとも一方を含む。マスタ制御ユニットは、ＶＬＡＮチャネルリソースを割り当て、割り当てたＶＬＡＮリソースの具体的な情報を、それとリンク確立ができた非マスタ制御ユニットに送信する。具体的には、マスタ制御ユニットがＶＬＡＮチャネルリソースを割り当てることは、マスタ制御ユニット自身が予め設定したルールに従って行うことができるし、他の非マスタ制御ユニットとリンクを確立した後、他のユニットからのユニット情報を受け取り、該ユニット情報に基づいてＶＬＡＮチャネルリソースを割り当てるようにすることもでき、ＶＬＡＮチャネルリソースの割り当ては、具体的には、どのようなユニットがどのチャネルに属するか、チャネルがどのぐらいあるか、等のように行われる。ここでいうユニット情報は、他のユニット自体の属性情報であり、好ましくは、該ユニット情報は、所在するカード基板のスロット番号、ユニットタイプ、必要とされるＶＬＡＮチャネル数等の情報を含むことができ、ここでいうユニットタイプは、主として、該ユニットがどのようなユニットであるかを示し、具体的には、アクセスユニット、レイヤ３ルーティングユニット、レイヤ２スイッチングユニット、マスタ制御ユニット、サービス伝送ユニット等を含み、好ましくは、そのユニットタイプを具体的なシンボル又は数字で表すことができ、例えば、各ユニットのタイプを数字で表すと、１−アクセスユニット、２−レイヤ３ルーティングユニット、３−レイヤ２スイッチングユニット、４−マスタ制御ユニット、５−サービス伝送ユニットのように、アクセスユニットを１で表し、レイヤ３ルーティングユニットを２で表す等であり、もちろん、このような指示方式には限定されず、具体的な構成に基づいて指示することができる。このような必要とされるＶＬＡＮチャネル数は、一般的には、サービス伝送ユニットの場合、サービス伝送ポート数によって決められ、それ以外のユニットの場合、デフォルトでは１つになる。例を挙げて説明すると、非マスタ制御ユニットがレイヤ３ルーティングユニット及びアクセスユニットであるとすれば、マスタ制御ユニットは、レイヤ３ルーティングユニットのユニット情報及びアクセスユニットのユニット情報を受け取った後、ＶＬＡＮチャネルをレイヤ３ルーティングユニット及びアクセスユニットに割り当てることになり、これにより、アクセスユニットからレイヤ３ルーティングユニットへの管理情報の伝送を実現する。
【００２４】
ステップＳ１０２：非マスタ制御ユニットが、割り当てたＶＬＡＮチャネルリソースの情報に基づいて、ＶＬＡＮチャネルで伝送される管理情報の送信及び／又は受信を行うように構成される仮想ネットワークインターフェースを確立する。
【００２５】
このステップにおいて、非マスタ制御ユニットは、割り当てたＶＬＡＮチャネルリソースの情報を受信して、対応する仮想ネットワークインターフェースを確立し、該ネットワークインターフェースは、ＶＬＡＮチャネルで伝送される管理情報の送信及び／又は受信を行う。ここでいうＶＬＡＮチャネルリソースの情報は、該ＶＬＡＮチャネルのＶＬＡＮｉｄ情報を含む。例えば、マスタ制御ユニットは、第３のＶＬＡＮチャネルをアクセスユニット及びレイヤ３ルーティングユニットに割り当てることで、ネットワーク管理ｐｃからレイヤ３ルーティングユニットへの伝送を実現し、この場合、マスタ制御ユニットは、ＶＬＡＮｉｄをアクセスユニット及びレイヤ３ルーティングユニットに通知し、アクセスユニット及びレイヤ３ルーティングユニットがＶＬＡＮｉｄを受信した後、仮想ネットワークインターフェースを確立し、該仮想ネットワークインターフェースは、第３のＶＬＡＮチャネルの伝送タグｔａｇ付き８０２．１Ｑメッセージ、即ち、８０２．１Ｑフォーマットでの管理情報のみを送受信する。レイヤ３ルーティングユニットについて、仮想ネットワークインターフェースが、さらに、ルーティングに対する出口ポートとして構成される。
【００２６】
ステップＳ１０３：マスタ制御ユニットが、レイヤ２スイッチングユニットに対してＶＬＡＮチャネルを確立するよう通知する。
【００２７】
このステップにおいて、マスタ制御ユニットは、ＶＬＡＮチャネルリソースを割り当てた後、レイヤ２スイッチングユニットに対して対応するＶＬＡＮチャネルを確立するよう通知し、例えば、マスタ制御ユニットは、第１のＶＬＡＮチャネル及び第２のＶＬＡＮチャネルを割り当てると、レイヤ２スイッチングユニットに対して第１のＶＬＡＮチャネル及び第２のＶＬＡＮチャネルを確立するよう通知する。
【００２８】
ステップＳ１０４：レイヤ２スイッチングユニットが、ＶＬＡＮチャネルを確立し、このＶＬＡＮチャネルに対応するユニットの物理ポートをタグの形でＶＬＡＮチャネルに加える。
【００２９】
このステップにおいて、レイヤ２スイッチングユニットは、マスタ制御ユニットからの通知を受信した後、対応するＶＬＡＮチャネルを確立し、該チャネルを開く。例えば、レイヤ２スイッチングユニットは、レイヤ３ルーティングユニットとアクセスユニットとの間の第３のＶＬＡＮチャネルを確立し、ポートｐｏｒｔＡ及びポートｐｏｒｔＢがレイヤ３ルーティングユニット及びアクセスユニットの物理ポートであり、すると、ｐｏｒｔＡ及びｐｏｒｔＢがタグｔａｇの形で第３のＶＬＡＮチャネルに加えられ、これにより、アクセスユニットとレイヤ３ルーティングユニットとの第３のＶＬＡＮチャネルを開く。
【００３０】
ステップＳ１０５：管理情報をＶＬＡＮチャネルで伝送する。
【００３１】
このステップにおいて、ＶＬＡＮチャネルを確立して開いた後、管理情報を該ＶＬＡＮチャネルで各ユニットに伝送することができ、各ユニット及び各ネットワーク要素間の通信及び管理を行うことができる。例えば、アクセスユニットが管理情報をレイヤ３ルーティングユニットに伝送しようとすれば、アクセスユニットは、該管理情報をレイヤ３ルーティングユニットとアクセスユニットとの間の第３のＶＬＡＮチャネルでレイヤ３ルーティングユニットに伝送する。
【００３２】
レイヤ３ルーティングユニットは、ｉｐに基づくレイヤ３ルーティング機能を担い、その内部にルーティングプロトコルが実行され、ネットワーク全体のルーティングテーブルを計算するものであり、該ユニットは、ソフトウェアによって実現されることができるし、Ｌ３転送機能を持つスイッチチップによって実現されることもできる。ＶＬＡＮに基づく管理情報は、主にそのｉｐポートに基づく情報であり、さらに、上記ステップＳ１０４において、主として、レイヤ３ルーティングユニットと他のインタラクティブユニットとの間のＶＬＡＮチャネルを確立し、ここでいうインタラクティブユニットがマスタ制御ユニットであってもよいし、他の非マスタ制御ユニットであってもよい。具体的には、インタラクティブユニットがサービス伝送ユニットとマスタ制御ユニットとを備える場合、レイヤ３ルーティングユニットとインタラクティブユニットとの間のＶＬＡＮチャネルを確立することは、レイヤ３ルーティングユニットとサービス伝送ユニットとの間の第１のＶＬＡＮチャネルを確立することと、レイヤ３ルーティングユニットとマスタ制御ユニットとの間の第２のＶＬＡＮチャネルを確立することと、を含む。インタラクティブユニットがアクセスユニットをさらに備え、この場合、レイヤ３ルーティングユニットとインタラクティブユニットとの間のＶＬＡＮチャネルを確立することは、レイヤ３ルーティングユニットとアクセスユニットとの間の第３のＶＬＡＮチャネルを確立することをさらに含む。なお、一般的に、アクセスユニットを備えるのはアクセスネットワーク要素であり、アクセスユニットがないのは非アクセスネットワーク要素である。
【００３３】
さらに、上記ステップＳ１０５において、管理情報をＶＬＡＮチャネルで伝送することは、サービス伝送ユニットがサービスチャネルから管理情報を取得し、第１のＶＬＡＮチャネルを介してレイヤ３ルーティングユニットに伝送することと、レイヤ３ルーティングユニットが管理情報を処理して、対応するＶＬＡＮチャネルを選択して伝送することと、を含む。管理情報をＶＬＡＮチャネルで伝送することは、アクセスユニットがウェブマスター（ネットワーク管理）から管理情報を取得し、第３のＶＬＡＮチャネルを介してレイヤ３ルーティングユニットに伝送することと、レイヤ３ルーティングユニットが管理情報を伝送すること、及び／又は、サービス伝送ユニットがサービスチャネルから管理情報を取得し、第１のＶＬＡＮチャネルを介してレイヤ３ルーティングユニットに伝送することと、レイヤ３ルーティングユニットが管理情報を伝送すること、をさらに含む。さらに、レイヤ３ルーティングユニットが管理情報を処理して、対応するＶＬＡＮチャネルを選択して伝送することは、レイヤ３ルーティングユニットが、管理情報のポートがローカルネットワーク要素であるか否かを判定することと、ＹＥＳであれば、管理情報を第２のＶＬＡＮチャネルでマスタ制御ユニットに伝送し、ＮＯであれば、管理情報を第１のＶＬＡＮチャネルで、管理情報をサービスチャネルで他のネットワーク要素に転送するサービス伝送ユニットに伝送することと、を含む。管理情報を具体的にどのユニットに伝送するかに基づいて、対応するＶＬＡＮチャネルを選択して伝送することは、特別なハードウェア又は新しい物理チャネルによるサポートが必要とされず、レイヤ２ネットワークにおけるＶＬＡＮに基づく転送のみによって、ネットワーク全体の管理を実現することができ、構成フローを簡略化し、設計及びハードウェアを低コスト化し、複数種のシステムにおけるＤＣＮネットワーキングのために方法及びシステムを提供すると、理解されるべきである。
【００３４】
（実施例２）
本実施例に係る管理情報の伝送方法は、図２に示すように、ＶＬＡＮチャネルを確立するプロセスは、以下のステップＳ２０１〜ステップＳ２０５を含む。
【００３５】
ステップＳ２０１：非マスタ制御ユニットとマスタ制御ユニットとがリンクを確立する。
【００３６】
ステップＳ２０２：リンク確立に成功した後、マスタ制御ユニットが、ＶＬＡＮチャネルリソースを他のユニットに割り当てる。
【００３７】
ステップＳ２０３：他のユニットがＶＬＡＮチャネルリソースを受け取った後、仮想ネットワークインターフェースを確立する。
【００３８】
ステップＳ２０４：レイヤ２スイッチングユニットがＶＬＡＮチャネルを確立し、ユニット間の通信リンクを開く。
【００３９】
ステップＳ２０５：サービス伝送ユニットが無効化された後、マスタ制御ユニットが、ＶＬＡＮチャネルリソースを回収し、他のユニットに対してＶＬＡＮチャネルを削除するよう通知する。
【００４０】
（実施例３）
本発明をよりよく説明するために、以下、図３〜５及び具体的な実施例を結合しながら本発明を詳しく説明する。
【００４１】
アクセスユニット、マスタ制御ユニット、レイヤ３ルーティングユニット、サービス伝送ユニットが内部イーサネット（登録商標）バス又は操作システムの内部通信を介してレイヤ２スイッチングユニットと通信する。システムにおけるユニットはいずれもソフトウェアで実現されることができ、通常、カード基板エンティティに配置され、１つのカード基板には１つのユニットが配置されてもよいし、複数のユニットが配置されてもよい。カード基板エンティティは、ユニット間の通信のためにネットワークインターフェースやｔｃｐ／ｉｐプロトコルスタック、操作システム等を提供し、各ユニットの管理メッセージをイーサネットメッセージとしてカプセル化して伝送するように構成される。各カード基板のｍａｃ及びｉｐはスロット番号によって自動的に生成され、レイヤ２／３ネットワーク通信の識別子とされる。
【００４２】
図３に示すように、システムにおいて、デフォルトでは内部通信用ＶＬＡＮがあり、マスタ制御ユニットと他のユニットとがこのＶＬＡＮを介して通信を行う。ネットワーク要素の内部において、マスタ制御ユニットと他のユニットとでＣ／Ｓアーキテクチャーがなされ、他のユニットがクライアントClientであって、積極的にマスタ制御ユニットとリンクを確立し、マスタ制御ユニットがサーバServerである。リンク確立に成功した後、他のユニットが自体の情報をマスタ制御ユニットに伝送する。その情報は、所在するカード基板のスロット番号、ユニットタイプ（１−アクセスユニット、２−レイヤ３ルーティングユニット、３−レイヤ２スイッチングユニット、４−マスタ制御ユニット、５−サービス伝送ユニット）、必要とされるＶＬＡＮチャネル数（サービス伝送ユニットの場合、サービス伝送ポート数によって決められ、それ以外のユニットの場合、デフォルトでは１つになる）を含む。
【００４３】
他のユニットから送信された情報を受け取った後、マスタ制御ユニットは、ユニット情報に基づいてＶＬＡＮチャネルリソースを割り当て、他のユニットに対してＶＬＡＮチャネルを確立するよう通知する。本実施例における第１のＶＬＡＮチャネルをＶＬＡＮＣチャネルとし、第２のＶＬＡＮチャネルをＶＬＡＮＢチャネルとし、第３のＶＬＡＮチャネルをＶＬＡＮＡチャネルとすることを例にして説明する。図４に示すように、アクセスネットワーク要素は、ＶＬＡＮＡがアクセスユニット及びレイヤ３ルーティングユニットに割り当てられることで、ネットワーク管理ｐｃからレイヤ３ルーティングユニットへの伝送を実現し、この場合、マスタ制御ユニットは、ＶＬＡＮｉｄをアクセスユニット及びレイヤ３ルーティングユニットに通知し、アクセスユニット及びレイヤ３ルーティングユニットがＶＬＡＮｉｄを受け取った後、仮想ネットワークインターフェースを確立し、該仮想ネットワークインターフェースは、ＶＬＡＮＡ  ｔａｇ付き８０２．１Ｑメッセージのみを送受信し、レイヤ３ルーティングユニットについて、仮想ネットワークインターフェースが、さらに、ルーティングに対する出口ポートとして構成される。同様に、ＶＬＡＮＣがサービス伝送ユニット及びレイヤ３ルーティングユニットに割り当てられることで、ネットワーク要素間の情報伝送を実現し、ＶＬＡＮＢがレイヤ３ルーティングユニット及びマスタ制御ユニットに割り当てられることで、レイヤ３ルーティングユニットからローカルネットワーク要素のマスタ制御ユニットへの情報伝送を実現する。最後に、マスタ制御ユニットは、レイヤ２スイッチングユニットに対してＶＬＡＮチャネルを確立するよう通知し、対応するユニットの物理ポートをＶＬＡＮに加え、レイヤ２スイッチングユニットがＶＬＡＮＡを確立し、ｐｏｒｔＡ及びｐｏｒｔＢをｔａｇの形でＶＬＡＮＡに加え、これにより、アクセスユニットとレイヤ３ルーティングユニットとのＶＬＡＮＡチャネルが開かれる。そして、同様な方法により、ｐｏｒｔＡ及びｐｏｒｔＣをｔａｇの形でＶＬＡＮＢに加え、ＶＬＡＮＢチャネルを開くとともに、ｐｏｒｔＡ及びｐｏｒｔＤをｔａｇの形でＶＬＡＮＣに加え、ＶＬＡＮＣチャネルを開く。非アクセスネットワーク要素について、図５に示すように、具体的には、上述した通りＶＬＡＮＢチャネル及びＶＬＡＮＣチャネルを確立し、該ＶＬＡＮＢチャネル及びＶＬＡＮＣチャネルを開く。
【００４４】
ＶＬＡＮチャネルが開かれた後、管理メッセージ、即ち管理情報の処理フローは、図６に示す通りであり、ネットワーク管理メッセージがＰＣからアクセスユニットを介してレイヤ２スイッチングユニットに伝送され、アクセスユニットが管理メッセージを８０２．１Ｑ形式にカプセル化し、ＶＬＡＮｉｄ＝ＶＬＡＮＡになる。レイヤ２スイッチングユニットが８０２．１Ｑタグに基づいて、ＶＬＡＮＡでレイヤ３ルーティングユニットに伝送する。そして、レイヤ３ルーティングユニットがｄｉｐによってルーティングテーブルからポートを見出し、ローカルネットワーク要素であれば、メッセージを直接ＶＬＡＮＢにカプセル化してマスタ制御ユニットに伝送する。遠隔ネットワーク要素であれば、メッセージをＶＬＡＮＣにカプセル化してサービス伝送ユニットに伝送し、サービス伝送ユニットにおけるメッセージ処理論理によって８０２．１Ｑタグを取り外し、標準のイーサネットパケットに復元しサービスチャネル１にカプセル化して伝送する（サービスチャネルがＯＴＮサービスであれば、ＧＣＣにカプセル化し、サービスチャネルがイーサネットサービスであれば、サービスＶＬＡＮにカプセル化し、・・・）。さらに、図７には、非アクセスネットワーク要素の管理情報の処理フローを示し、相手側サービス伝送ユニットが、サービスチャネルからイーサネットメッセージを解析した後、８０２．１Ｑタグを付加し、ＶＬＡＮｉｄがＶＬＡＮＣ’になり、そしてレイヤ２スイッチングユニットに送信し、レイヤ２スイッチングユニットがＶＬＡＮＣ’にてメッセージを転送し、ローカルネットワーク要素であれば、メッセージを直接ＶＬＡＮＢ’にカプセル化してマスタ制御ユニットに伝送する。遠隔ネットワーク要素であれば、メッセージをＶＬＡＮＣ’にカプセル化してサービス伝送ユニットに伝送し、サービス伝送ユニットにおけるメッセージ処理論理によって８０２．１Ｑタグを取り外し、標準のイーサネットパケットに復元しサービスチャネル２にカプセル化して伝送する。
【００４５】
（実施例４）
本実施例に係る管理情報の伝送システムは、図８に示すように、マスタ制御ユニットと、非マスタ制御ユニットと、レイヤ２スイッチングユニットと、を備える。マスタ制御ユニットが、非マスタ制御ユニットのリンク要求を受信し、非マスタ制御ユニットとリンクを確立した後、リンク確立ができた各非マスタ制御ユニットにＶＬＡＮチャネルリソースを割り当て、割り当てたＶＬＡＮチャネルリソースの情報を対応する非マスタ制御ユニットに送信する。非マスタ制御ユニットが、マスタ制御ユニットによって割り当てられたＶＬＡＮチャネルリソースの情報を受信し、ＶＬＡＮチャネルリソースの情報に基づいて、ＶＬＡＮチャネルで伝送される管理情報の送信及び／又は受信を行う仮想ネットワークインターフェースを確立する。マスタ制御ユニットが、ＶＬＡＮチャネルを確立する旨の通知情報をレイヤ２スイッチングユニットへ送信する。レイヤ２スイッチングユニットが、通知情報を受信し、通知情報に基づいてＶＬＡＮチャネルを確立し、ＶＬＡＮチャネルに対応するユニットの物理ポートをタグの形で、管理情報を伝送するように構成されるＶＬＡＮチャネルに加える。
【００４６】
さらに、非マスタ制御ユニットが、レイヤ３ルーティングユニットを備え、レイヤ２スイッチングユニットが、通知メッセージに基づいて、レイヤ３ルーティングユニットとインタラクティブユニットとの間のＶＬＡＮチャネルを確立する。
【００４７】
さらに、インタラクティブユニットが、マスタ制御ユニットとサービス伝送ユニットとを備え、レイヤ２スイッチングユニットは、さらに、レイヤ３ルーティングユニットとサービスチャネルとの間の第１のＶＬＡＮチャネルを確立するとともに、レイヤ３ルーティングユニットとマスタ制御ユニットとの間の第２のＶＬＡＮチャネルを確立するように構成される。
【００４８】
さらに、インタラクティブユニットが、アクセスユニットをさらに備え、レイヤ２スイッチングユニットは、さらに、レイヤ３ルーティングユニットとアクセスユニットとの間の第３のＶＬＡＮチャネルを確立するように構成される。
【００４９】
さらに、サービス伝送ユニットが、サービスチャネルから管理情報を取得し、第１のＶＬＡＮチャネルを介してレイヤ３ルーティングユニットに伝送し、レイヤ３ルーティングユニットが管理情報を受信・処理し、対応するＶＬＡＮチャネルを選択して伝送する。
【００５０】
さらに、アクセスユニットがウェブマスター（ネットワーク管理）から管理情報を取得し、第３のＶＬＡＮチャネルを介してレイヤ３ルーティングユニットに伝送し、レイヤ３ルーティングユニットが管理情報を受信・処理し、対応するＶＬＡＮチャネルを選択して伝送する、及び／又は、サービス伝送ユニットがサービスチャネルから管理情報を取得し、第１のＶＬＡＮチャネルを介してレイヤ３ルーティングユニットに伝送し、レイヤ３ルーティングユニットが管理情報を受信・処理し、対応するＶＬＡＮチャネルを選択して伝送する。
【００５１】
さらに、レイヤ３ルーティングユニットが、管理情報のポートがローカルネットワーク要素であるか否かを判定し、ＹＥＳであれば、管理情報を第２のＶＬＡＮチャネルでマスタ制御ユニットに伝送し、ＮＯであれば、管理情報を第１のＶＬＡＮチャネルでサービス伝送ユニットに伝送し、サービス伝送ユニットは、さらに、管理情報をサービスチャネルで他のネットワーク要素に転送するように構成される。
【００５２】
本実施例におけるレイヤ２スイッチングユニットは、レイヤ２スイッチチップによってＶＬＡＮに基づくレイヤ２転送機能を担うとともに、他のユニットのアクセスを提供する。レイヤ３ルーティングユニットは、ｉｐに基づくレイヤ３ルーティング機能を担い、その内部にルーティングプロトコルが実行され、ネットワーク全体のルーティングテーブルを計算するものであり、該ユニットは、ソフトウェアによって実現されることができるし、Ｌ３転送機能を持つスイッチチップによって実現されることもできる。マスタ制御ユニットは、ＶＬＡＮチャネルリソースの管理及び各ユニットの管理を担い、ソフトウェアによって実現される。サービス伝送ユニットは、サービス伝送チャネルを提供し、チャネルポートのタイプは、ＯＴＮ、ＰＴＮ、ＳＤＨ、イーサネット等を含むが、これには限定されず、該チャネルはさらにモニターリング情報を伝送するように構成され、内部ＦＰＧＡによって、管理メッセージがサービス伝送チャネルに挿入され、ＯＴＮサービスがＧＣＣに挿入され、ＰＴＮの場合単独のｐｗで行い、ＳＤＨが１つのタイムスロットに挿入され、イーサネットの場合単独のＶＬＡＮで伝送される。アクセスユニットは、一般的には、アクセスネットワーク要素に用いられ、非アクセスネットワーク要素にとって必須ではなく、インターフェースからレイヤ２スイッチングユニットへのチャネルを提供することが要求され、ネットワーク管理ｐｃがアクセスするように構成され、インターフェースタイプが限定されず、ネットワーク管理ＤＣＮのアクセスを提供することもできる。
【００５３】
さらに、本実施例における各ユニットを自由に様々に組み合わせることができ、例えば、図９に示すように、アクセスユニット、レイヤ２スイッチングユニット、レイヤ３ルーティングユニット、マスタ制御ユニットがカード基板１に配置され、サービス伝送ユニットがカード基板２に配置され、同様に、相手側ネットワーク要素についても、マスタ制御ユニットがカード基板１’に配置され、サービス伝送ユニットがカード基板２’に配置される。また、図１０に示すように、アクセスユニットがカード基板１に配置され、レイヤ２スイッチングユニット、レイヤ３ルーティングユニット、マスタ制御ユニットがカード基板２に配置され、サービス伝送ユニットがカード基板３に配置される。また、図１１に示すように、アクセスユニット、レイヤ２スイッチングユニット、レイヤ３ルーティングユニット、マスタ制御ユニット、サービス伝送ユニットがそれぞれ１つのカード基板に配置され、即ち、アクセスユニットがカード基板１に配置され、レイヤ２スイッチングユニットがカード基板２に配置され、レイヤ３ルーティングユニットがカード基板３に配置され、マスタ制御ユニットがカード基板４に配置され、サービス伝送ユニットがカード基板５に配置され、対応する接続されるネットワーク要素のアクセスユニットがカード基板１’に配置され、レイヤ２スイッチングユニットがカード基板２’に配置され、レイヤ３ルーティングユニットがカード基板３’に配置され、マスタ制御ユニットがカード基板４’に配置され、サービス伝送ユニットがカード基板５’に配置される。さらに、図１２に示すように、レイヤ３ルーティングユニット、マスタ制御ユニットが同一のカード基板に配置される一方、他のユニットがそれぞれ１つのカード基板に配置され、即ち、レイヤ３ルーティングユニット、マスタ制御ユニットがカード基板３に配置され、レイヤ２スイッチングユニットがカード基板４に配置され、アクセスユニットがカード基板１に配置され、サービス伝送ユニットがカード基板５に配置され、相手側の接続されるネットワーク要素のレイヤ３ルーティングユニット、マスタ制御ユニットがカード基板３’に配置され、レイヤ２スイッチングユニットがカード基板４’に配置され、サービス伝送ユニットがカード基板５’に配置される。もちろん、上記具体的な配置はこれには限定されず、具体的な状況に応じて具体的に配置することができる。
【００５４】
当業者にとって、上述の本発明の各モジュール又は各ステップは汎用の計算装置によって実現することができ、単独の計算装置に集成させることができれば、複数の計算装置から構成されるネットワークに分布させることもでき、さらに計算装置で実行可能なプログラムのコードによって実現することもできるので、それらを記憶装置に格納して計算装置によって実行することができ、そして場合によって、示した又は説明したステップを上述と異なる手順で実行することができ、それぞれ集積回路モジュールに製作したり、これらのうち複数のモジュール又はステップを単独の集積回路モジュールに製作したりして実現することができることは、明らかなことである。このように、本発明は、如何なる特定のハードウェアとソフトウェアの結合に限定されない。
【００５５】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００５６】
上述したように、本発明の実施例に提供される管理情報の伝送方法及びシステムは、特別なハードウェア又は新しい物理チャネルによるサポートが必要とされず、レイヤ２ネットワークにおけるＶＬＡＮに基づく転送のみによって、ネットワーク全体の管理情報の伝送を実現することができ、構成フローを簡略化し、設計及びハードウェアを低コスト化し、複数種のシステムにおけるＤＣＮネットワーキングのために簡便な方法を提供するという有益な効果を有する。
【図１】
2017536775.tif 000003
【図２】
2017536775.tif 000004
【図３】
2017536775.tif 000005
【図４】
2017536775.tif 000006
【図５】
2017536775.tif 000007
【図６】
2017536775.tif 000008
【図７】
2017536775.tif 000009
【図８】
2017536775.tif 000010
【図９】
2017536775.tif 000011
【図１０】
2017536775.tif 000012
【図１１】
2017536775.tif 000013
【図１２】
2017536775.tif 000014
【国際調査報告】
2017536775.tif 000015
2017536775.tif 000016
2017536775.tif 000017
2017536775.tif 000018